(57)【要約】【課題】潜像保持体表面の残像トナーを確実にクリーニングする。【解決手段】潜像保持体の周面に対向して設けてこれの周面をクリーニングする潜像保持体クリーニング装置において、潜像保持体２の周面に上下方向に位置をずらせた位置で摺擦する上側、下側のクリーニングローラ１５，１６を、それぞれが潜像保持体の周面に対してリバース回転するようにして設け、上側のクリーニングローラ１５を、軸体に吸液性を有する摺擦体１８ａを積層した構成にし、また下側のクリーニングローラ１６を、周壁に多数の小孔を設けた円筒２１に吸液性を有する摺擦体１８ｂを積層すると共に、円筒の中空部に吸引管２２を接続した構成にし、上記上側のクリーニングローラに向けて洗浄液を噴霧する噴霧ノズル２５を設けた構成にした。【選択図】        図２
2004271833.tif 000002
【特許請求の範囲】
【請求項１】
潜像保持体の周面に対向して設けてこれの周面をクリーニングする潜像保持体クリーニング装置において、
潜像保持体の周面に上下方向に位置をずらせた位置で摺擦する上側、下側のクリーニングローラを、それぞれが潜像保持体の周面に対してリバース回転するようにして設け、
上側のクリーニングローラを、軸体に吸液性を有する摺擦体を積層した構成にし、また下側のクリーニングローラを、周壁に多数の小孔を設けた円筒に吸液性を有する摺擦体を積層すると共に、円筒の中空部に吸引管を接続した構成にし、
上記上側のクリーニングローラに向けて洗浄液を噴霧する噴霧ノズルを設けた
ことを特徴とする潜像保持体クリーニング装置。
【請求項２】
上側、下側のクリーニングローラ及び噴霧ノズルを有する配管を、枠体内に設け、この枠体を潜像保持体に対して遠近方向に移動可能にしたことを特徴とする請求項１記載の潜像保持体クリーニング装置。
【請求項３】
枠体の下部に、底面が下側のクリーニングローラの外周に近接する排液溜りを設け、排液溜りに溜った排液を下側のクリーニングローラの周面にて吸引するようにしたことを特徴とする請求項２記載の潜像保持体クリーニング装置。
【請求項４】
下側のクリーニングローラを、潜像保持体に対して遠近方向に位置調節可能にして枠体に支持したことを特徴とする請求項２、３のいずれか１記載の潜像保持体クリーニング装置。
【発明の詳細な説明】
【０００１】
【発明の属する技術分野】
本発明は、電子写真印刷機の転写工程後の潜像保持体表面に残留したトナーをクリーニングする潜像保持体クリーニング装置に関するものである。
【０００２】
【従来の技術】
この種のクリーニング装置の従来の技術としては、例えば特許文献１に示されているように、潜像保持体である感光体ドラムの表面に、クリーニングブラシを接触させ、このクリーニングブラシを接触面において互いに逆方向に向くように回転させるようにした構成が知られている。
【０００３】
【特許文献１】
特開平５−６６７０５号公報（図１、段落（００１１））
【０００４】
【発明が解決しようとする課題】
上記従来のクリーニングブラシを用いたクリーニング装置は、乾式トナーを用いた電子写真印刷機における感光体ドラム表面のクリーニングは良好に行うことができるが、湿式トナーを用いた電子写真印刷機における感光体ドラムのクリーニング効果は低く、感光体ドラム表面にこれの円周方向に無数のスジが残り、これが次工程の画像形成工程における良好な画像形成の障害となっている。
【０００５】
本発明は上記のことに鑑みなされたもので、湿式トナーを用いた電子写真印刷機においても、これの潜像保持体の転写工程後における表面を確実にクリーニングして、次工程での画像形成障害の発生を防ぐことができる潜像保持体クリーニング装置を提供することを目的とするものである。
【０００６】
【課題を解決するための手段】
上記目的を達成するために、本発明に係る潜像保持体クリーニング装置は、潜像保持体の周面に対向して設けてこれの周面をクリーニングする潜像保持体クリーニング装置において、潜像保持体の周面に上下方向に位置をずらせた位置で摺擦する上側、下側のクリーニングローラを、それぞれが潜像保持体の周面に対してリバース回転するようにして設け、上側のクリーニングローラを、軸体に吸液性を有する摺擦体を積層した構成にし、また下側のクリーニングローラを、周壁に多数の小孔を設けた円筒に吸液性を有する摺擦体を積層すると共に、円筒の中空部に吸引管を接続した構成にし、上記上側のクリーニングローラに向けて洗浄液を噴霧する噴霧ノズルを設けた構成になっている。
【０００７】
そして上記潜像保持体クリーニング装置において、上側、下側のクリーニングローラ及び噴霧ノズルを有する配管を、枠体内に設け、この枠体を潜像保持体に対して遠近方向に移動可能にし、また、枠体の下部に、底面が下側のクリーニングローラの外周に近接する排液溜りを設け、排液溜りに溜った排液を下側のクリーニングローラの周面にて吸引するようにし、さらに下側のクリーニングローラを、潜像保持体に対して遠近方向に位置調節可能にして枠体に支持した。
【０００８】
【作  用】
潜像保持体の回転に従って上側と下側の両クリーニングローラが摺擦した状態でリバース回転する。そしてこのときに、上側のクリーニングローラに向けて噴霧ノズルより洗浄液が噴霧され、上側のクリーニングローラでは、摺擦材の摺擦と洗浄液とにより潜像保持体の表面がクリーニングされる。
【０００９】
上側のクリーニングローラに含浸した洗浄液は下側のクリーニングローラ上に滴下し、この下側のクリーニングローラでも、上記上側のクリーニングローラと同様の作用により潜像保持体表面がクリーニングされる。このクリーニング作用は枠体を潜像保持体側へ近づけることにより接触状態となり遠ざけることにより離間状態となる。なお、この離間状態では洗浄液の噴霧を止める。
【００１０】
この下側のクリーニングローラに含浸した洗浄液は、この下側のクリーニングローラの円筒内に吸引されて外部へ排出される。また、枠体の下部に溜った洗浄液は、排液溜りから下側のクリーニングローラの摺擦材表面より円筒内に吸引されて排出される。
【００１１】
【発明の実施の形態】
本発明の実施の形態を図面に基づいて説明する。
【００１２】
図１は本発明に係る潜像保持体クリーニング装置１を備え、湿式トナーを用いる電子写真印刷機の要部を示すもので、潜像保持体の一例である感光体ドラム２の周囲に、これと中間転写ローラ３との転接部（転写部）から回転方向下流側へ、上記潜像保持体クリーニング装置１、除電装置４、複数組、例えば第１・第２の画像形成装置５ａ，５ｂ、余剰溶媒除去装置６、乾燥装置７を有している。
【００１３】
上記電子写真印刷機は中間転写ローラ３の周面の１個所を中心にして左右対称に配置され、両中間転写ローラ３間を連続紙Ｗが通ることにより、これに両面印刷されるようになっている。なお中間転写ローラ３に圧胴を転接して片面印刷としてもよい。
【００１４】
上記各組の画像形成装置５ａ，５ｂは大略同一構成になっていて、チャージャ装置８、露光装置（潜像形成装置）９、現像装置１０、スクィーズローラ１１を感光ドラム２の回転方向上流側から順に配置した構成になっている。
【００１５】
この電子写真印刷機では、感光体ドラム２の回転に従って、これの表面に残留しているトナーと電位が潜像保持クリーニング装置１及び除電装置４にて除去される。ついで第１・第２の画像形成装置５ａ，５ｂにて２色分のトナー画像が形成される。
【００１６】
このときの各画像形成装置５ａ，５ｂでは、チャージャ装置８にて感光体ドラム２の表面が所定電圧に帯電され、これの表面に露光装置９にて画像変調されたレーザビームが照射されて静電潜像が形成され、この静電潜像は湿式トナーを用いた現像装置１０にてトナー像に現像されるようになっている。そしてこのときの現像トナーは溶媒（液体現像剤）と共に感光体ドラム２の表面に供給されるため、このときの余剰溶媒はスクィーズローラ１１にて除去している。
【００１７】
なお、このような電子写真印刷機では各画像形成装置５ａ，５ｂにおけるスクィーズローラ１１では余剰溶媒が除去されきれず、両画像形成装置５ａ，５ｂを経て感光体ドラム２の表面にはまだ乾燥手段では除去しきれない余剰溶媒が存在している。余剰溶媒除去装置６はこの画像形成装置５ａ，５ｂの下流側に存在する余剰溶媒を除去する。
【００１８】
次に、本発明に係る潜像保持体クリーニング装置１の構成を図２以下に基づいて説明する。
【００１９】
図中１５，１６は感光体ドラム２に対向してこれの回転方向で、かつ上下方向に位置をずらせて配置される上側、下側のクリーニングローラである。感光体ドラム２の回転方向上流側に位置する上側のクリーニングローラ１５は軸１７の外周にスポンジ層１８ａを積層した構成になっており、軸１７の両端はブラケット１９，１９に回転自在に支持されている。
【００２０】
感光体ドラム２の回転方向下流側に位置する下側のクリーニングローラ１６は周壁に多数の小孔を有する円筒２１にスポンジ層１８ｂを積層した構成になっており、円筒２１の両端の軸部は上記ブラケット１９，１９に回転自在に支持されている。そしてこの円筒２１の一方の軸部は中空になっており、この中空の軸部に図示しない吸引装置に連通した吸引管２２が接続されている。
【００２１】
上側、下側のクリーニングローラ１５，１６を支持するブラケット１９，１９は感光体ドラム２に対向する側を開放した断面コ字状に形成された枠体２３の内側に固着されている。そしてこの枠体２３内に上記上側のクリーニングローラ１５と平行に中空の噴霧管２４が両端を上記ブラケット１９，１９に固着して設けてあり、この噴霧管２４の軸方向に複数の噴霧ノズル２５が上側のクリーニングローラ１５に向けて設けてある。噴霧管２４の両端（あるいは一端）には洗浄液供給管２６が接続されている。
【００２２】
両クリーニングローラ１５，１６の軸方向一方の軸部はブラケット１９の外側へ突出しており、それぞれのこの部分に歯車２７，２８が固着されている。この両歯車２７，２８は枠体２３に支持されたモータ２９にて回転駆動される駆動歯車３０に噛み合っていてモータ２９の駆動により両クリーニングローラ１５，１６が感光体ドラム２と同一方向に回転し、従って両クリーニングローラ１５，１６の外周は感光体ドラム２の周面の走行方向と逆方向に走行するように、すなわちリバース回転するようになっている。
【００２３】
上記断面コ字状に形成される枠体２３は、上部ステー２３ａ、下部ステー２３ｂ、背部ステー２３ｃとからなっている。そして下部ステー２３ｂの下側のクリーニングローラ１６の下側に対向する部分には、下側のクリーニングローラ１６の外周に対向する円弧状の排液溜り３１が設けてある。
【００２４】
また、上記両クリーニングローラ１５，１６のうち、下側のクリーニングローラ１６は両ブラケット１９，１９に対して感光体ドラム２に対して遠近方向に位置調節できるようになっている。
【００２５】
図６はその構成を示すもので、下側のクリーニングローラ１６の円筒２１を支持する軸受３２はブラケット１９に、感光体ドラム２側を開放したＵ字状穴３３に嵌合され、ブラケット１９を貫通し、枠体２３の外側に頭部を出した押しねじ３４にて軸受３２を押すことにより、軸受３２が感光体ドラム２側へ移動し、下側クリーニングローラ１６の感光体ドラム２に対する接触圧が加えられるようになっている。軸受３２の上記移動限はＵ字状穴３３の下辺に設けた突出ねじ３５の突出高さによって調節されるようになっている。
【００２６】
上記断面コ字状の枠体２３の上部ステー２３ａは軸方向両側に突出しており、この部分が、感光体ドラム２の両端を支持する前後のフレーム４０ａ，４０ｂに感光体ドラム２の軸方向に対して直角方向に移動自在に支持された移動体４１ａ，４１ｂに係脱可能に支持されており、固定ねじ４２，４２にて結合するようになっている。
【００２７】
各移動体４１ａ，４１ｂは各フレーム４０ａ，４０ｂに設けたガイドロッド４３ａ，４３ｂに嵌合されている。また各移動体４１ａ，４１ｂは各フレーム４０ａ，４０ｂに固着したシリンダ装置４４ａ，４４ｂのピストンロッドにブラケット４５ａ，４５ｂを介して連結されており、シリンダ装置４４ａ，４４ｂの伸縮動作により、上記枠体２３が感光体ドラム２の表面に対して近づいたり、遠ざかる方向、すなわち、遠近方向に移動するようになっている。４６，４６はこれが感光体ドラム２へ近づく方向の移動限を設定するストッパである。この各ストッパ４６はガイドロッド４３ａ，４３ｂを支持する一方のブラケット４７，４７を貫通して移動体４１ａ，４１ｂにねじ込んだボルトにて構成されており、これの首下面が上記ブラケット４７，４７に当接することにより上記移動限となるようになっている。従ってこのボルトのねじ込み量を変えることにより上記移動限が調節される。
【００２８】
上記枠体２３内には、上側、下側の各クリーニングローラ１５，１６の外周面に当接する上側、下側ドクタブレード４８ａ，４８ｂと、感光体ドラム２の表面に当接する感光体ドクタブレード４８ｃが設けてある。
【００２９】
上記構成の潜像保持体クリーニング装置１の作用を以下に説明する。この潜像保持体クリーニング装置１は、これの枠体２３の両端部を両移動体４１ａ，４１ｂ上に乗せて固定ねじ４２，４２にて固定することにフレーム４０ａ，４０ｂに組み付けられる。そしてシリンダ装置４４ａ，４４ｂを伸長動作することにより枠体２３は前進動作、すなわち、感光体ドラム２方向に移動して上側、下側のクリーニングローラ１５，１６が、それぞれのスポンジ層１８ａ，１８ｂが感光体ドラム２に所定の押圧力にて押し付けられる。このときの感光体ドラム２に対する位置決めはストッパ４６にて行われる。また、このときの下側クリーニングローラ１６の位置は突出ねじ３５の突出長さ及び押しねじ３４の押し付けにより、微調節できる。
【００３０】
この状態でモータ２９を駆動することにより両クリーニングローラ１５，１６は感光体ドラム２の表面に対してリバース回転され、感光体ドラム２の表面が両ローラ１５，１６のスポンジ層１８ａ，１８ｂにてクリーニングされる。
【００３１】
このとき、噴霧管２４に高圧で送給された洗浄液が噴霧ノズル２５より上側のクリーニングローラ１５に向けて噴霧され、この上側のクリーニングローラ１５では、スポンジ層１８ａによる摺擦と共に、洗浄液にて感光体ドラム２をクリーニングする。またこのとき、上記洗浄液は感光体ドクタブレード４８ｃで掻き落とされて下側クリーニングローラ１６のスポンジ層１８ｂに吸収され、この下側のクリーニングローラ１６でもスポンジ層１８ｂによる摺擦と共に、洗浄液にて感光体ドラム２の表面がクリーニングされる。そしてこの下側のクリーニングローラ１６のスポンジ層１８ｂに含浸する洗浄液はこれの円筒２１内にこれの周壁に設けた小孔を通して吸引され吸引管２２より外部へ排出される。また、枠体２３内に飛散した洗浄液はこれの下部ステー２３ｂに設けた排液溜り３１に集められ、ここから下側クリーニング１６のスポンジ層１８ｂを介して下側クリーニングローラ１６内へ吸引される。上側、下側の各クリーニングローラ１５，１６の表面はそれぞれに当接しているドクタブレード４８ａ，４８ｂにてクリーニングされる。
【００３２】
シリンダ装置４４ａ，４４ｂを短縮動作することにより枠体２３が後退されて各クリーニングローラ１５，１６は感光体ドラム２より離間し、この状態でモータ２９を停止すると共に洗浄液の供給を停止することにより潜像保持体クリーニング装置１は休止状態となる。
【００３３】
潜像保持体クリーニング装置１の各クリーニングローラ１５，１６の保守点検には、固定ねじ４２，４２をはずして枠体２３を移動体４１ａ，４１ｂから外してから、この枠体２３を分解して行う。
【００３４】
上記構成において、枠体２３の底部に、この中に溜る排液を排出するための排液口を排液溜りとは別に設けてもよい。また両クリーニングローラ１５，１６に積層するスポンジ層１８ａ，１８ｂは、摺擦することによる洗浄作用を用すると共に、洗浄液を含浸すると作用を有するものであれば何でもよく、例えば不織布等他の摺擦体であってもよい。
【００３５】
【発明の効果】
本発明によれば、潜像保持体の表面は、洗浄液を用いた２個のクリーニングローラにてクリーニングされるため、この潜像保持体の表面を残存トナーが残ることなく確実にクリーニングすることができる。そしてこのクリーニングに用いられる洗浄液は装置の外部に漏れることなく排出することができる。
【図面の簡単な説明】
【図１】本発明に係る潜像保持体クリーニング装置を用いる電子写真印刷機の要部を示す概略的な構成説明図である。
【図２】本発明に係る潜像保持体クリーニング装置の要部を示す断面図である。
【図３】図２のＡ矢視で、軸部を展開して示す一部破断面図である。
【図４】潜像保持体クリーニング装置の離間状態を示す作用説明図である。
【図５】図２のＢ矢視図である。
【図６】下側のクリーニングローラの軸受部を示す断面図である。
【符号の説明】
１…潜像保持体クリーニング装置、２…感光体ドラム（潜像保持体）、３…中間転写ローラ、４…除電装置、５ａ，５ｂ…画像形成装置、６…余剰溶媒除去装置、７…乾燥装置、８…チャージャ装置、９…露光装置、１０…現像装置、１１…スクィーズローラ、
１５，１６…上側、下側のクリーニングローラ、１７…軸、１８ａ，１８ｂ…スポンジ層（摺擦体）、１９…ブラケット、２１…円筒、２２…吸引管、２３…枠体、２３ａ…上部ステー、２３ｂ…下部ステー、２３ｃ…背部ステー、２４…噴霧管、２５…噴霧ノズル、２６…洗浄液供給管、２７，２８，３０…歯車、２９…モータ、３１…排液溜り、３２…軸受、３３…Ｕ字状穴、３４…押しねじ、３５…突出ねじ、
４０ａ，４０ｂ…フレーム、４１ａ，４１ｂ…移動体、４２…固定ねじ、４３ａ，４３ｂ…ガイドロッド、４４ａ，４４ｂ…シリンダ装置、４５ａ，４５ｂ…ブラケット、４６…ストッパ、４７…ブラケット、４８ａ，４８ｂ，４８ｃ…ドクタブレード。
【図１】
2004271833.tif 000003
【図２】
2004271833.tif 000004
【図３】
2004271833.tif 000005
【図４】
2004271833.tif 000006
【図５】
2004271833.tif 000007
【図６】
2004271833.tif 000008